(57)【特許請求の範囲】
【請求項１】
既設サッシの既設枠の開口内に新設サッシの新設枠を取り付けた浴室改装サッシであって、
前記既設枠は、新設する浴槽の上部よりも下方の下方開口部分を有し、
前記新設サッシは、既設枠の下方開口部分に取り付ける下部新設サッシと、既設枠の下方開口部分以外の上方開口部分に取り付ける上部新設サッシを備え、
前記下部新設サッシは、下部新設枠に断熱パネルを設けたものとし、
前記上部新設サッシは、上部新設枠に透光性面材を設けたものとし、
前記上部新設枠の室内側部に額縁が四周連続して室内側に向けて取り付けられ、
この額縁と前記浴槽とに渡って内装材が取り付けられ、
前記上部新設枠の上部新設下枠の室内側部にアタッチメントがこのアタッチメントで前記額縁を支持するように室内側に向けて取り付けられ、
前記アタッチメントは、室内側支持部と中間下向き傾斜部と室外側取付部を有し、その室外側取付部が上部新設下枠の室内側に固着され、室内側支持部が室内側に向かい、かつ中間下向き傾斜部が上部新設下枠と額縁の連結部の下方に位置するように取り付けられ、
前記上部新設下枠の下部に無目が取り付けられ、その無目の下部に下部新設枠の下部新設上枠が取り付けられ、
前記上部新設下枠の室内側部におけるアタッチメントの取付部分よりも上方に排水穴が形成され、この排水穴は上部新設下枠と無目との間の排水通路を経て下部新設上枠の室外側上面に連通していることを特徴とする浴室改装サッシ。
【請求項２】
前記上部新設下枠と無目との間を水密する水密材の長手方向端部と端部水密材は離隔して排水路を形成し、無目の室外側寄りに室外側排水穴が下部新設上枠の上面と対向して形成され、この室外側排水穴と前記排水路とで前記排水通路を構成し、
前記無目と下部新設上枠の上面との間における室外側排水穴よりも室内側寄りを水密材で水密した請求項１記載の浴室改装サッシ。
【発明の詳細な説明】
【技術分野】
【０００１】
本発明は、既設の浴室サッシを新設の浴室サッシに改装した浴室改装サッシに関する。
【背景技術】
【０００２】
従来、既設サッシの既設枠に、新設サッシの新設枠を取り付けした改装サッシが、例えば特許文献１に開示されている。
【先行技術文献】
【特許文献】
【０００３】
【特許文献１】特開２００９−２２１８１６号公報
【発明の概要】
【発明が解決しようとする課題】
【０００４】
在来浴室をシステムバスに改良する際に、在来浴室に既設の浴室サッシがある場合には、その既設の浴室サッシを新設の浴室サッシに改装するが、既設の浴室サッシが大きく、浴室サッシの下部分がシステムバスの浴槽（つまり、新設する浴槽）よりも下に位置することがあり、その既設の浴室サッシの既設枠に新設枠を取り付けて新設の浴室サッシとすると、新設の浴室サッシにおける浴槽よりも下の部分から浴槽の熱が室外に逃げ易く、浴槽内の温度低下を招くことになるばかりか、浴室サッシ周りの納まり、止水が複雑になり施工性が悪い。
【０００５】
これらのことから、前述のように大きな既設の浴室サッシの場合には、既設の浴室サッシの既設枠が取り付けてある外壁、躯体の開口部の大きさを小さくし、新設の浴室サッシの新設枠を既設枠より小さくして新設の浴室サッシがシステムバスの浴槽よりも下となる部分を有しないようにしている。
しかしながら、前述のようにすると外壁・躯体工事を必要とするので、工期、費用が膨大なものとなる。
【０００６】
本発明は、前述の課題に鑑みなされたものであり、その目的は、新設する浴槽よりも下に位置する下方開口部分を有した既設サッシを、外壁・躯体工事をせずに浴槽の熱が室外に逃げることを抑制できる新設の浴室サッシに改装できるようにした浴室改装サッシとすることである。
【課題を解決するための手段】
【０００７】
本発明は、既設サッシの既設枠の開口内に新設サッシの新設枠を取り付けた浴室改装サッシであって、
前記既設枠は、新設する浴槽の上部よりも下方の下方開口部分を有し、
前記新設サッシは、既設枠の下方開口部分に取り付ける下部新設サッシと、既設枠の下方開口部分以外の上方開口部分に取り付ける上部新設サッシを備え、
前記下部新設サッシは、下部新設枠に断熱パネルを設けたものとし、
前記上部新設サッシは、上部新設枠に透光性面材を設けたものとし、
前記上部新設枠の室内側部に額縁が四周連続して室内側に向けて取り付けられ、
この額縁と前記浴槽とに渡って内装材が取り付けられ、
前記上部新設枠の上部新設下枠の室内側部にアタッチメントがこのアタッチメントで前記額縁を支持するように室内側に向けて取り付けられ、
前記アタッチメントは、室内側支持部と中間下向き傾斜部と室外側取付部を有し、その室外側取付部が上部新設下枠の室内側に固着され、室内側支持部が室内側に向かい、かつ中間下向き傾斜部が上部新設下枠と額縁の連結部の下方に位置するように取り付けられ、
前記上部新設下枠の下部に無目が取り付けられ、その無目の下部に下部新設枠の下部新設上枠が取り付けられ、
前記上部新設下枠の室内側部におけるアタッチメントの取付部分よりも上方に排水穴が形成され、この排水穴は上部新設下枠と無目との間の排水通路を経て下部新設上枠の室外側上面に連通していることを特徴とする浴室改装サッシである。
【００１０】
本発明においては、前記上部新設下枠と無目との間を水密する水密材の長手方向端部と端部水密材は離隔して排水路を形成し、無目の室外側寄りに室外側排水穴が下部新設上枠の上面と対向して形成され、この室外側排水穴と前記排水路とで前記排水通路を構成し、
前記無目と下部新設上枠の上面との間における室外側排水穴よりも室内側寄りを水密材で水密することができる。
このようにすれば、上部新設下枠と額縁の連結部などから額縁の下に洩れた水を確実に室外に排水できる。
【発明の効果】
【００１１】
本発明によれば、新設する浴槽と対向した部分が断熱パネルを有した下部新設サッシであるから、浴槽の熱が室外に逃げることを抑制できる。
しかも、既設サッシの既設枠の下方開口部分を下部新設サッシで覆うようにしたから、外壁・躯体工事をする必要がなく、工期を短縮できると共に、費用を低減できる。
また、額縁と内装材とで室内から既設枠が見えないので、見栄えが良い。
また、浴槽の熱が額縁から上部新設枠を伝わって室外に伝わり難い。
また、額縁をアタッチメントで支持するから、額縁をしっかりと支持することができる
また、上部新設下枠と額縁の連結部などから額縁の下に洩れた水がアタッチメントの中間下向き傾斜部に落下し、排水穴、排水通路を経て下部新設上枠の上面から室外に排水することができる。
【図面の簡単な説明】
【００１２】
【図１】本発明の実施の形態を示す浴室改装サッシの概略内観図である。
【図２】図１のＡ−Ａ詳細拡大断面図である。
【図３】図１のＢ−Ｂ詳細拡大断面図である。
【図４】図１のＣ−Ｃ詳細拡大断面図である。
【図５】上枠部分の拡大図である。
【図６】無目部分の拡大図である。
【図７】上部新設サッシの縦枠部分の拡大図である。
【図８】下部新設サッシの縦枠部分の拡大図である。
【図９】下枠部分の拡大図である。
【図１０】無目の水密材取付部分の斜視図である。
【発明を実施するための形態】
【００１３】
図１に示すように、既設サッシの既設枠１は、既設上枠１０と既設下枠１１と左右の既設縦枠１２，１２とで方形状である。
この既設枠１の開口内に、上部新設サッシ２と下部新設サッシ３を備えた新設サッシを取り付けて本発明の浴室改装サッシとしてある。
上部新設サッシ２は上部新設枠２ａと、この上部新設枠２ａの開口内に取り付けた透光性面材２ｂを有している。
その上部新設枠２ａは上部新設上枠２０と上部新設下枠２１と左右の上部新設縦枠２２，２２を備え、左右の上部新設縦枠２２，２２の長手方向両端部に上部新設上枠２０、上部新設下枠２１の長手方向両端部を突き当て、ビス等で連結している。
下部新設サッシ３は下部新設枠３ａと、この下部新設枠３ａに装着した断熱パネル３ｂを有している。
その下部新設枠３ａは下部新設上枠３０と下部新設下枠３１と左右の下部新設縦枠３２，３２を備え、左右の下部新設縦枠３２，３２の長手方向両端部に下部新設上枠３０、下部新設下枠３１の長手方向両端部を突き当て、ビス等で連結している。
【００１４】
そして、上部新設枠２ａと下部新設枠３ａは既設枠１の開口内に、ジョイント枠４を介して取り付けてある。
このジョイント枠４は、ジョイント上枠４０とジョイント下枠４１と左右のジョイント縦枠４２，４２を備え、そのジョイント上枠４０が既設上枠１０の内側に固着して取り付けられ、ジョイント下枠４１が既設下枠１１の内側に固着して取り付けられると共に、左右のジョイント縦枠４２が左右の既設縦枠１２の内側に固着して取り付けられる。
前述の既設上枠１０、既設下枠１１、既設縦枠１２の内側とは、既設枠１の開口を形成する部位で、既設枠１の外部に臨む部位は外側である。
図１は本発明を理解し易いように概略して図示してあり、図２以降に示す具体形状とは形状、寸法が異なる。
【００１５】
本発明の浴室改装サッシを図２以降を参照して詳細に説明する。
図２に示すように、既設サッシの既設枠１は在来浴室の躯体５の開口部５ａに固着して取り付けてある。この既設枠１と外壁５ｂとの間はシール材、例えば湿式のシール材５ｃで水密してある。
既設枠１の下枠１１は新設する浴槽６の上部よりも下方に位置し、その既設枠１は新設する浴槽６よりも下方に位置する下方開口部分を有している。
そして、上部新設下枠２１が新設する浴槽６の上部とほぼ同一高さで、前述の既設枠１の新設する浴槽６よりも下方に位置する下方開口部分に、前述の下部新設サッシ３が取り付けてある。
【００１６】
このようであるから、既設枠１の下方開口部分は下部新設サッシ３で閉塞されて断熱性に優れているから、浴槽６の熱が既設枠１の下方開口部分から室外に逃げることを抑制することができる。
しかも、躯体５、外壁５ｂは改装する前の状態で、外壁・躯体工事が不要であるから、工期を短くできると共に、費用を低減できる。
【００１７】
上部新設サッシ２は、図２と図３に示すように上部新設枠２ａに、透光性面材２ｂである室内側障子２ｃと室外側障子２ｄを面内方向に移動自在に装着した引き違い窓である。前述の面内方向とは上部新設上枠２０、上部新設下枠２１の長手方向に沿う方向である。
室内側障子２ｃ、室外側障子２ｄは、框組体にガラスや樹脂パネルなどの透光性パネル体を装着したものである。
上部新設サッシ２は、引き違い窓に限ることはなく、片引き窓、内開き窓、上げ下げ窓、すべり出し窓、外開き窓などの開閉する窓、または嵌め殺し窓などの開閉しない窓でも良い。
また、透光性面材２ｂは障子に限ることはなく、透光性を有するパネル体、ガラス板などでも良い。
また、前述の透光性とは透明に限ることはなく、半透明でも不透明でも光が透過する性質である。
そして、上部新設サッシ２は既設枠１の下部新設サッシ３を取り付けた下方開口部分以外の上方開口部分に取り付けてある。
【００１８】
前述の上部新設上枠２０の室内側部に上額縁２３を固着して室内側に向けて取り付けてあると共に、上部新設下枠２１の室内側部、上部新設縦枠２２の室内側部に下額縁２４、縦額縁２５をそれぞれ固着して室内側に向けて取り付けてある。
この各額縁の室内側端のフランジ２３ａ，２４ａ，２５ａに内装材２６がビス２７でそれぞれ取り付け、各フランジにカバー２８を取り付けてビス２７を覆っている。
そして、下額縁２４に取り付けた内装材２６が浴槽６の上部と連続している。
前述の各額縁は樹脂製である。この各額縁は樹脂製に限ることはない。
【００１９】
このように、上部新設枠２ａの室内側周囲に額縁を取り付け、その額縁と浴槽６との間に内装材２６を設けたので、改装した浴室内から既設枠１及び下部新設サッシ３の下部新設枠３ａ、断熱パネル３ｂが見えないので、内観の見栄えが良い。
【００２０】
図２に示すように、下部新設枠３ａの下部新設上枠３０は無目３３を介して上部新設下枠２１に連結されている。
図２と図４に示すように、下部新設上枠３０、下部新設下枠３１、下部新設縦枠３２に亘って、断熱パネル３ｂである断熱性に優れたパネル体３４が装着されている。
【００２１】
次に、各部材を具体的に説明する。
既設上枠１０は図２、図５に示すように、室内外側方向に向かう本体１０ａと、この本体１０ａに設けた室内側垂下板１０ｂ、室内側上レール１０ｃ、室外側上レール１０ｄ、室外側垂下板１０ｅ、躯体取付片１０ｆを有し、引き違い窓の上枠である。
そして、躯体取付片１０ｆが躯体５の室外側面５ｄに固着具（図示せず）で固着し、本体１０ａの室内側寄り部位を開口部５ａにスペーサ５ｅを介して接するように取り付けてある。
【００２２】
ジョイント上枠４０は図２、図５に示すように、面外方向に向かい、かつ室外側寄りに室外側立上り板４０ａ、室外側垂下板４０ｂを有した本体４０ｃと、この本体４０ｃの上面に設けた取付金具４０ｅを備え、その取付金具４０ｅを既設上枠１０の室内側上レール１０ｃ、室外側上レール１０ｄの下端面に接すると共に、ビス４０ｇで室外側上レール１０ｄに固着して取り付け、室外側立上り板４０ａを室外側垂下板１０ｅに接し、本体４０ｃの室内側寄りをビス４０ｆで躯体５に固着すると共に、取付金具４０ｅにビス４０ｄで固着して取り付けてある。
【００２３】
このようであるから、ジョイント上枠４０を既設上枠１０に面外方向及び上下方向に位置決めして取り付けできる。
【００２４】
上部新設上枠２０は図２、図５に示すように、アルミ押出形材の室内側部材２０ａとアルミ押出形材の室外側部材２０ｂを断熱材２０ｃで連結した断熱形材の本体２０ｄと、この本体２０ｄの室内側寄り内側（下側）に設けた樹脂の室内カバー体２０ｅと、本体２０ｄの室内外側方向の中間内側（下側）に設けた樹脂の中間カバー体２０ｆとで、室内側上レール２０ｇ、室外側上レール２０ｂ、網戸上レール２０ｉを有している。
つまり、上部新設上枠２０は引き違い窓の上枠である、
そして、室内側部材２０ａと室内側カバー体２０ｅをビス２０ｊで躯体５に固着し、室外側部材２０ｂをビス２０ｋでジョイント上枠４０（本体４０ｃ）に固着して取り付けてある。
室内側カバー体２０ｅの室内側端の横向片２０ｅ−１に上額縁２３がビス２３ｂで固着して取り付けてある。
【００２５】
このように、既設上枠１０にジョイント上枠４０を固着して取り付け、そのジョイント上枠４０に上部新設上枠２０を固着して取り付けたので、引き違い窓の上枠形状の既設上枠１０に、引き違い窓の上枠形状の上部新設上枠２０を簡単に、強固に取り付けできる。
【００２６】
そして、室内側上レール２０ｇで室内側障子２ｃの上部が面内方向に移動自在にガイドされる。室外側上レール２０ｈで室外側障子２ｄの上部が面内方向に移動自在にガイドされる。網戸上レール２０ｉで網戸２ｅの上部が面内方向に移動自在にガイドされる。
【００２７】
上部新設下枠２１は、図２、図６に示すように、室内側下レール２１ａを有したアルミ押出形材の室内側部材２１ｂと、室外側下レール２１ｃと網戸下レール２１ｄを有したアルミ押出形材の室外側部材２１ｅを断熱材２１ｆで連結した断熱形材の本体２１ｇと、その室内側部材２１ｂの内側に設けた樹脂の室内側カバー体２１ｈと、室内側部材２１ｂと室外側部材２１ｅの室内側寄りの内側間に渡って設けた樹脂の中間カバー体２１ｉと、室外側部材２１ｅの室外側に設けた樹脂の室外側カバー体２１ｊを有している。本体２１ｇの室外側下部には無目３３を連結する係止片２１ｋを有している。
そして、室内側部材２１ｂの室内側の横向片と室内側カバー体２１ｈの室内側の横向片からビス２４ｈを下額縁２４に固着して下額縁２４を取り付けている。
【００２８】
このように、上部新設下枠２１は、断熱形材の本体２１ｇの内側（上側）に樹脂のカバー体を設けたものであるから、上部新設下枠２１は断熱性に優れ、この上部新設下枠２１よりも室内寄りに設ける浴槽６の熱が上部新設下枠２１から室外に伝わり難い。
【００２９】
そして、室内側下レール２１ａ、室外側下レール２１ｃ、網戸下レール２１ｄで室内側障子２ｃ、室外側障子２ｄ、網戸２ｅの下部が面内方向に移動自在にガイドされる。
【００３０】
図２、図６に示すように、上部新設下枠２１の室内側部にアタッチメント７が室内側に向けて固着して取り付けてある。
このアタッチメント７は室内側横向板７０と、この室内側横向板７０の室外側端と連続した垂下板７１と、この垂下板７１の下端と連続して室外側に向かう室外側板７２と、この室外側板７２の室外側端と連続して下方に向かう室外側縦板７３を有し、その室外側板７２は室外側部が室内側部よりも下方となるように水平に対して室外側に向けて斜め下向きとなっている。
【００３１】
室外側縦板７３を上部新設下枠２１の室内側部材２１ｂにビス７４で固着することで、その室内側横向板７０が室内側に向けて水平となると共に、室外側板７２が室外側に向けて傾斜するように取り付ける。
そして室内側横向板７０に前述の下額縁２４の下面を接することで、下額縁２４（額縁）をアタッチメント７で支持する。
つまり、アタッチメント７０は室内側支持部と室外側取付部と中間下向き傾斜部を有する。
【００３２】
無目３３は図２、図６に示すように、アルミ押出形材の室内側部材３３ａとアルミ押出形材に室外側部材３３ｂを断熱材３３ｃで連結した断熱形材で、室内側部材３３ａの室内側端に上向きの取付片３３ｄを有し、室外側部材３３ｂの室内側端に下向きの連結片３３ｅを有すると共に、室外側端に係止受片３３ｆを有している。
そして、係止受片３３ｆを上部新設下枠２１の係止片２１ｋに係止すると共に、取付片３３ｄを上部新設下枠２１の室内側部材２１ｂにビスで固着して無目３３を上部新設下枠２１の下側に取り付けている。
【００３３】
この実施の形態では、取付片３３ｄを室外側部材２１ｂの室内側面に接し、アタッチメント７の室外側縦板７３を取付片３３ｄに接し、その室外側縦板７３からビス７４を取付片３３ｄと室外側部材２１ｂに螺合することで、共通のビス７４でアタッチメント７と補助枠材３３を上部新設下枠２１の室内側部に取り付けている。
【００３４】
下部新設上枠３０は図２、図６に示すように、室内側方向に向かう本体３０ａの室内側端に上向きの取付片３０ｂを有すると共に、その本体３０ａに室内側下向き凹部３０ｃ、中間下向き凹部３０ｄ、室外側下向き凹部３０ｅを有している。
そして、本体３０ａの上部に無目３３を設け、無目３３の室外側部材３３ｂからビス３３ｇを本体３０ａの室外側寄り上部に螺合すると共に、連結片３３ｅからビス３３ｈを取付片３０ｂに螺合することで、下部新設上枠３０の上部に無目３３を取り付けてある。つまり、上部新設下枠２１と下部新設上枠３０が無目３３で連結してある。
【００３５】
前述の室内側下向き凹部３０ｃに上カバー体３０ｆが係合して取り付けてある。
前述の中間下向き凹部３０ｄに押縁３０ｇを取り付け、この押縁３０ｇで断熱パネル体３４の室外側面を支持する。
【００３６】
既設縦枠１２は図３、図４、図７に示すように、室内外側方向に向かう本体１２ａと、この本体１２ａに設けた躯体取付片１２ｂを有し、引き違い窓の縦枠である。
そして、躯体取付片１２ｂが躯体５の室外側面５ｄに固着具（図示せず）で固着して取り付けてある。
【００３７】
ジョイント縦枠４２は図３、図４、図７に示すように、角筒状の本体４２ａと、その本体４２ａの室内側で面内方向の外側に設けた躯体取付片４２ｂを有し、本体４２ａの室内側寄りの外側面を躯体５に接すると共に、躯体取付片４２ｂをビス４２ｃで躯体５に固着して取り付けてある。
前述のジョイント縦枠４２は、本体４２ａの面内方向の内側面に上部新設縦枠２２、下部新設縦枠３２を取り付けるために、室外側係止受片４２ｄ、室内側取付片４２ｅを有している。
ジョイント縦枠４２と既設縦枠１２との間はシール材１２ｃで水密してある。
【００３８】
上部新設縦枠２２は図３、図７に示すように、室内側方向に向かう基板２２ａと、この基板２２ａの外側面（ジョイント縦枠４２と対向する面）に設けた室外側係止片２２ｂ、室内側取付片２２ｃ、中間支持片２２ｄと、基板２２ａの内側面に設けた突起２２ｅを有したアルミ押出形材の本体２２ｆ及び、その基板２２ａの内側面の室内側寄りに設けた樹脂押出形材のカバー体２２ｇを備えている。
このカバー体２２ｇの室内側端部に縦額縁２５がビス２２ｈで固着してある。
【００３９】
そして、室外側係止片２２ｂをジョイント縦枠４２の室外側係止受片４２ｄに係止する共に、中間支持片２２ｄをジョイント縦枠４２の内側面に接し、室内側取付片２２ｃをジョイント縦枠４２の室内側取付片４２ｅに接してビス２２ｉで固着することでジョイント縦枠４２と上部新設縦枠２２を連結している。
【００４０】
下部新設縦枠３２は図４、図８に示すように、室内側方向に向かう基板３２ａと、この基板３２ａの外側面（ジョイント縦枠４２と対向する面）に設けた室外側係止片３２ｂ、室内側取付片３２ｃ、中間支持片３２ｄと、基板３２ａの内側面に設けた突起３２ｅを有したアルミ押出形材の本体３２ｆ及び、その基板３２ａの内側面の室内側寄りに設けた樹脂押出形材のカバー体３２ｇを備えている。
【００４１】
そして、室外側係止片３２ｂをジョイント縦枠４２の室外側係止受片４２ｄに係止する共に、中間支持片３２ｄをジョイント縦枠４２の内側面に接し、室内側取付片３２ｃをジョイント縦枠４２の室内側取付片４２ｅに接してビス３２ｈで固着することでジョイント縦枠４２と下部新設縦枠３２を連結している。
つまり、下部新設縦枠３２の外側部分の形状は上部新設縦枠２２の外側部分の形状と同一で、上下方向に連続したジョイント縦枠４２の上部寄りと下部寄りに上部新設縦枠２２、下部新設縦枠３２を同様にして取り付けできるようにしてある。
【００４２】
既設下枠１１は図２、図９に示すように、室内外側方向に向かう本体１１ａと、この本体１１ａに設けた室内側取付横片１１ｂ、室内側立上り板１１ｃ、室内側下レール１１ｄ、室外側下レール１１ｅ、室外側立上り板１１ｆ、中間取付縦片１１ｇを有した引き違い窓の下枠である。
そして、中間取付縦片１１ｇを固着具により躯体５の室外側面５ｄに固着すると共に、室内側取付横片１１ｂを躯体５の開口部５ａに固着具（図示せず）で固着して取り付けてある。
【００４３】
ジョイント下枠４１は図２、図９に示すように、面外方向に向かう本体４１ａと、この本体４１ａの室内側に設けた躯体取付片４１ｂ、室内側立上り板４１ｃと、本体４１ａの室外側に設けた室外側垂下片４１ｄを有している。
そして、躯体取付片４１ｂをビス４１ｅで躯体５に固着すると共に、既設下枠１１の室外側下レール１１ｆにビス４１ｆで固着した取付金具４１ｇに室外側垂下板４１ｄをビス４１ｈで固着して取り付けてある。
【００４４】
下部新設下枠３１は図２と図９に示すように、アルミ押出形材の室内側部材３１ａとアルミ押出形材の室外側部材３１ｂを断熱材３１ｃで連結した断熱形材で、その室内側部材３１ａは上向き凹部３１ｄと下向きの取付片３１ｅを有し、室外側部材３１ｂは室外側係止片３１ｆを有している。
そして、室外側係止片３１ｆをジョイント下枠４１の室外係止受片４１ｉに係止すると共に、取付片３１ｅをジョイント下枠４１の室内側立上り板４１ｃにビス３１ｇで固着して取り付けてある。
【００４５】
前述の上向き凹部３１ｄに樹脂の下カバー体４１ｉを係着して取り付け、この下カバー体４１ｉ、カバー体３２ｇ、上カバー体３０ｆが四周連続し、下部新設枠３ａの室内側周囲が樹脂のカバー体で覆われるようにしてある。
【００４６】
ジョイント上枠４０、ジョイント下枠４１、ジョイント縦枠４２はアルミ押出形材であるが、ジョイント下枠４１は室内側部材と室外側部材を断熱材４１ｉで連結した断熱形材で、室内側と室外側とに熱が伝わり難くしてある。
【００４７】
このように、ジョイント下枠４１、下部新設下枠３１は断熱形材で室内側と室外側とに熱が伝わり難いと共に、下部新設枠３ａの室内側の周囲が樹脂のカバー体で覆われているから、その下部新設枠３ａ自体の断熱性が優れ、断熱パネル３ｂを設けたことと相まって下部新設サッシはより一層断熱性に優れたものとなる。
したがって、浴槽６の熱が室外に逃げることをより一層抑制することができる。
【００４８】
前述したアタッチメント７は、図７に示すように室内側横向板７０の長手方向両端部分が切断して除去され、残存した部分がジョイント縦枠４２まで延設してある。
そして、その端部に小口キャップ７５が取り付けてある。
【００４９】
前述した浴室改装サッシにおいては、下額縁２４に浴室使用時に湯水が飛散したり、結露水が流れ落ちることがあるから、その下額縁２４と上部新設下枠２１との連結部などから洩れて前述の水が下額縁２４の下に流れ落ち、浴槽６に付着するなどの悪影響を及ぼすことがあるので、前述の下額縁２４の下に流れ落ちた水を新設枠から室外に排水できるようにしてある。
【００５０】
すなわち、図６に示すように上部新設下枠２１と下額縁２４との連結部から洩れた水がアタッチメント７の室外側板７２（中間下向き傾斜部）に流れ落ちるようにする。
アタッチメント７の室外側縦板７３と上部新設下枠２１の室内側部との連結部を水密材８０で水密し、前述の室外側縦板７２に流れ落ちた水がアタッチメントの取付部から落下しないようにすると共に、上部新設下枠２１のアタッチメント取付部の上方に排水穴８１を形成する。
【００５１】
上記新設下枠２１と無目３３との間に、前述の排水穴８１を下部新設上枠３０の上面まで連続する排水通路を形成する。
例えば、上部新設下枠２１の下部と無目３３の上部との間を水密する水密材８２を、図１０に示すように長手方向両端部に設けないようにすると共に、端部水密材８３を設け、その端部水密材８３と水密材８２の端部との間に排水路８４を形成し、前述の排水穴８１から流れ落ちた水が排水路８４を通して無目３３の室外側上面に流れるようにする。
【００５２】
そして、無目３３の室外側部に室外側排水穴８５を形成して前述の水が室外側排水穴８５から下部新設上枠３０の室外側上面に流れるようにすると共に、下部新設上枠３０の室内寄り上面と無目３３の下面との間を水密材８６で水密し、前述の水が下部新設上枠３０の上面から室外側に排水されるようにする。
この実施の形態では、下部新設上枠３０の室外側寄りの上面を水平に対して室外側が室内側よりも低くなるように傾斜（つまり水勾配）させてある。
【００５３】
前述の実施の形態は、在来浴室をユニットバスなどに改装するようにしたが、浴室ではない室にユニットバスを設置して浴室とする場合にも応用できることは勿論である。
また、ジョイント枠４を用いずに上部新設枠２ａ、下部新設枠３ａを既設枠１の開口内に取り付けることも可能である。
【符号の説明】
【００５４】
１…既設枠、２…上部新設サッシ、２ａ…上部新設枠、２ｂ…透光性面材、３…下部新設サッシ、３ａ…下部新設枠、３ｂ…断熱パネル、４…ジョイント枠、５…躯体、５ａ…開口部、５ｂ…外壁、６…浴槽、７…アタッチメント、２１…上部新設下枠、２３…上額縁、２４…下額縁、２５…縦額縁、３０…下部新設上枠、３３…無目、８１…排水穴、８２…水密材、８３…端部水密材、８４…排水路、８５…室外側排水穴、８６…水密材。
【図１】
0005907526.tif 000002
【図２】
0005907526.tif 000003
【図３】
0005907526.tif 000004
【図４】
0005907526.tif 000005
【図５】
0005907526.tif 000006
【図６】
0005907526.tif 000007
【図７】
0005907526.tif 000008
【図８】
0005907526.tif 000009
【図９】
0005907526.tif 000010
【図１０】
0005907526.tif 000011